(57)【要約】【課題】  薄い縦枠に略面付けにて配置でき、縦枠正面コーナーを大きく迂回しながら開閉動作させることができる軸心が扉面から突出しない多軸丁番を提供する。【解決手段】  両端に第一軸心と第二軸心を有した羽根と、両端に係合ピンを有する回動カムと、枠側案内部材を装着した枠側ケースと、扉側案内部材を装着した扉側ケースを設け、回動カムの係合ピンが両案内部材に係合した状態で組みつけて規則性を持って動作する開閉機構部分を構成する。扉の戸尻面を深く掘りこんで扉内部に開閉機構部分をほぼ内蔵させ、開閉時に干渉する扉の正面の一部のみを切り欠き、化粧カバーを装着しておく。縦枠に対しては略面付けにて装着し、軸心は縦枠内面より戸先側の扉の厚み内に配置し、縦枠正面を大きく迂回して開閉する扉の軌跡を得ると共に、閉鎖時には多軸丁番自体が扉面から突出しない平坦なデザインを可能とする。【選択図】        図１
2013181306.tif 000002
【特許請求の範囲】
【請求項１】
複数の軸心と回動カムを有した上下方向に長い羽根を、枠側案内部材を備えた枠側ケースと扉側案内部材を備えた扉側ケースに組み込んでなる開閉機構部分を有し、枠体に対して扉が一定の規則性をもって開閉動作する構成の多軸丁番であって、枠側ケースを縦枠に略面付けにて装着し、複数の軸心を含む前記開閉機構部分を縦枠内面より戸先方向の扉の厚み内に掘り込んだ状態で配置し、開閉動作により扉が開閉機構部分と当接する範囲の扉面を切り欠いておき、扉を閉じた状態で多軸丁番全体が扉面から突出しないように構成したことを特徴とする多軸丁番。
【請求項２】
前記堀り込み形状が、扉に堀り込まれた最も深い位置に両扉面を残した状態で扉側ケースが挿入できるように形成し、それより浅い位置においても扉の戸当たり側面は残し、正面側のみを上下方向に細長く取り除いた形状にし、扉を閉じた状態ではこの部分に枠側ケースが位置し、枠側ケースの正面のみが扉の正面と面一な状態で露出するように形成したことを特徴とする請求項１に記載の多軸丁番。
【請求項３】
前記開閉機構部分を縦枠内面に略面付けにて装着し、枠側ケースの軸心を縦枠内面より戸先側の扉の厚み方向内に配置することにより、扉の開放前半範囲では枠側ケースの軸心を中心に開放する動作を得、その後扉側ケースの軸心を中心に開放する動作になり、扉正面及び戸尻正面コーナーが縦枠正面を大きく迂回する扉の開閉軌跡を得ることを特徴とする請求項１または２に記載の多軸丁番。
【請求項４】
扉を９０度程度開けた状態で扉の堀り込み部分から露出する枠側ケースの上下いずれかの面に上下調整ねじを略垂直方向にて設け、枠側取り付けプレートに上下調整ねじの径より幅広で上下調整ねじの頭部の径より狭い溝を設け、溝に上下調整ねじを引っ掛ける動作による吊り込み機構と、上下調整ねじを回す操作による上下調整機構を有することを特徴とする請求項１及至３いずれか１項に記載の多軸丁番。
【発明の詳細な説明】
【技術分野】
【０００１】
本発明は多軸丁番に関するものである。
【背景技術】
【０００２】
従来から丁番は枠体に扉を吊り込んで回転自在に保持するためのものであり、２枚の板状の羽根の端部に軸心と軸挿入部を設け、片方の羽根の軸心を他方の羽根の軸挿入部に通して両者を回転自在に連結して構成され、扉と枠体に両方の羽根を別々に固定することにより、枠体に対して扉を開閉可能にしている。この丁番の枠体と扉に対する取り付け状態は、軸心と軸挿入部からなる軸部分が扉面から持ち出されて突出していることが特徴とされ、この軸部分を持ち出したことにより扉を１８０度回転させることが可能になる。
【０００３】
ところが、軸部分が持ち出されていることにより比較的平坦な面で構成されている扉面から突出した状態になり、この軸部分の出っ張りはデザイン面において非常に好ましく無い。さらに、丁番は通常扉の上下２カ所に配置されるため、下部の丁番の軸部分位置がどうしても幼児等の頭部くらいの高さに配置されてしまい、よちよち歩きの際に頭部をぶつけてしまう危険性も有している。したがって軸部分が扉面から突出することの無い丁番が望まれる。
【０００４】
そこで従来から縦枠内面と扉の戸尻面の両方に掘り込んだ状態で配置し、軸部分を持ち出さずに扉を１８０度にまで開放することができる複数の軸心を有する隠し丁番があり、複数の略三角形状の連結板を重ね合わせて複数のピンで組み付け、ピンを所定の溝に沿ってスライドさせながら折りたたむ構成になっている。この基本構成を有する隠し丁番は既に公知とされており、その改良品が特開平０６−１８５２５２や特開平０６−２８８１３９や特開２００２−１２１９５５等に多数開示されている。
【０００５】
また他の構成としては、２本の軸心にて丁番の羽根を回動自在にあらかじめ連結しておき、２本の軸心のどれかが規則を持って交代しながら回転の中心となるものがあり、図１１に示す本発明者による特開２００７−２１１５７７のように、扉の１８０度の回転軌跡を分割し、最初は縦枠側の第一軸心を中心に回転し、その後切り替え動作により第二軸心を中心に回転する動作を得、閉状態から所定角度付近位置までとそれ以降とで、回転の中心となる軸心を変更させることにより、誤作動の無い規則に従った開閉動作を得る構成が報告されている。
【０００６】
また上記の個々の構成においては、常に羽根で扉側ケースと枠側ケースを連結しており、枠側ケースは縦枠内に、扉側ケースは扉の吊り元側厚み方向内にともに掘り込んだ状態で内蔵して配置されている。したがって複数の軸心のいずれかは枠側ケースと共に必ず縦枠の堀り込み内に配置されていることが特徴とされる。そして羽根の一部も扉が完全に閉鎖される段階で枠側ケース内に挿入される構成になっている。その結果一定以上の縦枠の厚み寸法が必要条件として残ってくる。さらに上記構成においては、扉の開放段階初期でどうしても扉の戸尻側コーナーが縦枠に接近する軌跡になるため、縦枠正面と扉正面との段差が大きい納まりには不向きであることもまだまだ改良の余地があると想定される。
【０００７】
しかし昨今のデザイン重視におけるドアにおいては非常に縦枠の厚みが薄いスリムな外観が好まれており、上記のような多軸の隠し丁番においても薄枠に対応する必要が生じるとともに、開放時に扉と縦枠が接近せずに縦枠を大きく回り込むような開閉軌跡を有する構成が望まれている。
【特許文献１】特開平０６−１８５２５２
【特許文献２】特開平０６−２８８１３９
【特許文献３】特開２００２−１２１９５５
【特許文献４】特開２００７−２１１５７７
【発明の開示】
【発明が解決しようとする課題】
【０００８】
本発明は上記問題点を解決するためになされたものであり、縦枠の掘り込みをほとんど必要としない２軸タイプの丁番で、規則性を有した開閉動作で１８０度まで開放可能であり、扉が閉じた状態では軸心を含む丁番全体が扉面から全く突出せず、縦枠正面コーナーを大きく迂回しながら扉を開閉動作させることができる軌跡を有する丁番を提供することを目的とする。
【課題を解決するための手段】
【０００９】
本発明では上記問題点を解決するために次の技術手段を設けた。まず略箱型の枠側ケースと扉側ケースを設ける。丁番の羽根は上面視略コの字形状か若しくは湾曲形状で、両端部の上下面上に第一軸心挿入孔と第二軸心挿入孔を設け、その間に回動カム軸挿入孔を配置しておく。そして中央付近に支点を有した回動カムを設け、支点を挟んだ両方の先端部に係合ピンを突出した状態で装着しておく。そして回動カムを羽根の上下に各々被せるように配置して回動カム軸にて組み付ける。
【００１０】
次に枠側ケースに枠側案内部材を扉側ケースに扉側案内部材を装着しておき、回動カムの係合ピンと両案内部材が互いに係合した状態で枠側ケースと羽根を第一軸心で、扉側ケースと羽根を第二軸心で連結する。すると一定の規則性をもって開閉動作する多軸丁番の開閉機構部分が構成されることになる。そして本発明においてはこの開閉機構部分全体を縦枠内面より戸先側の扉の厚み方向内に配置することが特徴とされる。つまり枠側ケースを縦枠内面に略面付けにて装着し、扉の戸尻側厚み方向面を堀り込んで、極力開閉機構部分全体を扉内部に配置できるようにする。
【００１１】
しかし、扉の開閉動作において開閉機構部分と扉面が当接してはいけないため、どうしても一部扉の正面を切り欠く必要が生じる。またデザイン性においては扉正面の切り欠きは当然少ないほうが良い。したがってその最も少ない扉正面の切り欠き形状としては、扉に設けた堀り込みの深い位置に両側の扉面を残した状態で扉側ケースが挿入できるように形成し、その浅い位置においては扉の戸当たり面側は残し、正面側のみを上下方向に切り欠いた形状にて堀り込み、この浅い部分に枠側ケースが配置されるように形成する。すると扉が閉じた状態では枠側ケースの正面のみが扉の正面と面一な状態で露出することになり、この露出部分に平坦な化粧カバーを取り付けると、扉を閉じた状態においては扉の戸尻側正面の上下端部付近に一定幅の縦長の細い化粧カバーが扉面と面一の状態で見えるだけになる。
【００１２】
そして開閉機構部分をこの配置に設定したことにより、扉の開放段階で先に第一軸心を中心に開放する動作が得られることになり、扉の戸尻正面コーナーが縦枠内面を通過した後、９０度開放位置に近づいてから第二軸心を中心に開放する軌跡になり、この段階では既に第一軸心と第二軸心との距離分だけ大きく扉を持ち出した状態でその後開放することになり、縦枠の正面コーナーを大きく迂回して移動する軌跡が得られる。その結果扉正面と縦枠正面との段差が大きい納まりであっても両者が干渉することなく十分に開閉させることが可能になる。
【００１３】
またこの構成においては、扉を９０度程度開放した段階で枠側ケースが扉の堀り込み部分から露出した状態が得られる。そこでその状態を利用して、枠側ケースの上下いずれかの面に上下調整ねじを略垂直方向にて設け、上下調整ねじの径より幅広でその頭部の径より狭い溝を枠側取り付けプレートに形成し、あらかじめ枠側取り付けプレートを縦枠に装着しておく。そして上下調整ねじを備えた枠側ケースを含む開閉機構部分全体を扉に装着しておく。すると枠側取り付けプレートの溝に上下調整ねじを引っ掛ける動作による扉の吊り込み機構と、上下調整ねじを回す操作による上下調整機構を簡単に構成することができる。
【発明の効果】
【００１４】
扉の戸尻側厚み方向面を深く堀り込んで形成し、丁番の開閉機構部分を極力扉内部に挿入できるようにすることで、開閉機構部分の縦枠への掘り込みをほぼ必要とすることのない略面付けにて納めることができる。その結果非常に厚みの薄い縦枠への取り付けも可能になる。
【００１５】
扉の堀り込みの深い位置に両扉面を残した状態で扉側ケースが挿入できるように設定し、その浅い位置の扉の戸当たり面側は残し、正面のみを上下方向に切り欠いた形状にて堀り込むことで、扉が閉じた状態では枠側ケースの正面のみが扉の正面と面一な状態で露出するだけの形状にできる。そしてこの露出部分に化粧カバーを取り付けることにより、扉を閉じた状態においては吊り元側端部正面の上下に一定幅の縦長の細い化粧カバーが見えるのみのデザイン性に優れた外観にすることができる。
【００１６】
開閉機構部分を縦枠への略面付けにて配置したことで、先に第一軸心を中心に開放する扉の開放動作が得られることになり、その後第二軸心を中心に開放する段階では、既に第一軸心と第二軸心との距離分だけ大きく扉を持ち出した状態になっており、扉面が縦枠の正面側を大きく迂回して移動する軌跡が得られる。したがって扉正面と縦枠正面との段差が大きい納まりであっても両者が接触することなく余裕をもった開閉動作が得られることになる。
【００１７】
扉を９０度弱開放した状態で枠側ケースが扉の堀り込み部分から露出するため、枠側ケースの上下いずれかの面に上下調整ねじを略垂直方向にて設け、枠側取り付けプレートに上下調整ねじの径より幅広で上下調整ねじの頭部の径より狭い溝を設けておくだけの簡素な構成で、溝に上下調整ねじを引っ掛ける動作による吊り込み機構と、上下調整ねじを回す操作による上下調整機構を実施することが可能である。
【図面の簡単な説明】
【００１８】
【図１】本発明の多軸丁番の、ドアに取り付けた状態の正面図である。
【図２】本発明の多軸丁番の、ドアに取り付けた状態の上面図である。
【図３】本発明の多軸丁番の、開閉機構部分の斜視図である。
【図４】本発明の多軸丁番の、枠側案内部材の上面図である。
【図５】本発明の多軸丁番の、扉側案内部材の上面図である。
【図６】本発明の多軸丁番の、回動カムの斜視図である。
【図７】本発明の多軸丁番の、扉の掘り込み形状の斜視図である。
【図８】本発明の多軸丁番の、吊り元側の全体正面図である。
【図９】本発明の多軸丁番の開閉軌跡図である。
【図１０】本発明の多軸丁番の、上下調整機構の斜視図である。
【図１１】従来の隠し丁番の開閉軌跡図である。
【発明を実施するための最良の形態】
【００１９】
以下図面に基づいて本発明に関する多軸丁番の実施の形態を説明する。本発明の多軸丁番も通常の丁番と同様にドアの上下２ヵ所に装着して縦枠２８に扉２９を保持するのであるが、上丁番と下丁番とは機構的にはほぼ同じであるため片方の構成において説明する。図１は本発明の多軸丁番を装着したドアの閉状態の下部位置の正面図であり、図２は同様での上面図である。そして図３は縦枠２８と扉２９間に配置された状態での開閉機構部分aを示す分解斜視図である。
【００２０】
開閉機構部分aにおいては図１１に示す隠し丁番とほぼ同様の構成であり、図３に示すように枠側ケース１と扉側ケース２と羽根３と回動カム４を主部材としている。そして枠側ケース１に図４に示す第一軸心挿入孔６を中心とした円弧部分７とそれに連続した屈曲部分８からなる円弧状長孔９を有した枠側案内部材５を設けておく。そして扉側ケース２にも図５に示す第二軸心挿入孔１１を中心とした円弧部分７とそれに連続した屈曲部分８からなる円弧状長孔９を有した扉側案内部材１０を設けておく。さらに図６に示すような回転動作の支点となる回動カム軸挿入孔１２を挟んで両側に先端部分を有し、先端部分両方に係合ピン１３を形成した回動カム４を設ける。
【００２１】
そして図３に示すように回動カム４の回動カム軸挿入孔１２を羽根３の回動カム軸１４に差し込んだ状態で回転可能に装着する。したがって回動カム４は羽根３に対して水平方向に回転動作できることになる。次に回動カム４を装着した羽根３を枠側ケース１と扉側ケース２に第一軸心１５と第二軸心１６にて組付けるのであるが、このとき枠側ケース１側に組付ける回動カム４の係合ピン１３が枠側案内部材５の円弧状長孔９内に、そして扉側ケース２側に組付ける係合ピン１３も同様に扉側案内部材１０の円弧状長孔９内に挿入した状態で構成する。従って上下方向の配置においては枠側ケース１と扉側ケース２の上下内面に配置された枠側案内部材５と扉側案内部材１０に近接して面対した状態で回動カム４の上下面が配置され、回動カム４の両係合ピン１３と両円弧状長孔９が同水平面に配置されることになり、以上によって開閉機構部分aが構成される。
【００２２】
ここで扉２９への掘り込みの形状および位置と方向を明確にするために、図２における扉２９の横方向の掘り込みを深い位置浅い位置として以下に表記し、扉２９の面を奥側に位置する戸当たり側面２４と手前側に位置する扉正面２３として表記する。また扉２９の吊り元側の厚み方向面を戸尻面２１と表記する。そして、図２に示すように扉２９の戸尻面２１から掘り込みを形成し、枠側ケース１を縦枠内面２２に略面付けにて装着した状態で開閉機構部分a全体を縦枠内面２２より戸先側の扉２９の厚み方向内に配置する。つまり、扉２９のみを堀り込んで極力開閉機構部分a全体を扉２９内部に配置できるようにするとよいことになる。しかし扉２９の開閉動作において扉２９と開閉機構部分aが当接してはいけないため、どうしても一部扉正面２３を切り欠く必要が生じる。ここでデザイン性においては当然扉正面２３の切り欠きは極力少ないほうが良いと想定される。
【００２３】
したがってその最も少ない扉正面２３の切り欠き形状としては、図２および図７に示すように扉２９の戸尻面２１から形成した堀り込みの最も深い位置に両側の扉面を一定の厚みを残した状態で扉側ケース２が嵌り込んで装着できるように形成し、戸尻面２１に近い浅い位置においては扉２９の戸当たり側面２４は全て残し、正面２３のみを上下方向に切り欠いた堀り込み形状が最適である。そしてこの浅い位置に枠側ケース１が配置されるように形成する。すると扉２９が閉じた状態では枠側ケース１の正面のみが扉正面２３と面一な状態で露出することになり、この露出部分に平坦な化粧カバー１７を取り付けるとよい。
【００２４】
また開閉機構部分aは縦方向に長い羽根３が枠側ケース１や扉側ケース２から出入りする構成であるため、図１に示すように枠側ケース１の露出部分は縦長の矩形になり、その結果扉２９を閉じた状態においては吊り元側端部正面の上下に一定幅の細い化粧カバー１７が見えるのみの外観になる。さらには堀り込みの上下方向位置に関しては特に制限はなく、図１や図７(ａ)のように扉２９の上下端を掘り切りにして、化粧カバー１７が扉２９の上下端部にまで配置される形状と、図７(ｂ)に示すように扉２９の上下端を残して配置する形状が可能である。すると扉正面２３の吊り元側の上下方向全体としての外観においては閉鎖時の意匠がかなり変わり、図７(ａ)の掘り込み形状では図８(ａ)に示すように縦長のピボットヒンジのようなイメージになり、図７(ｂ)の掘り込みでは扉２９の上下端部を残す長さの程度にもよるが、図８(ｂ)に示すように突出部分無しの丁番のイメージになり、それぞれにまた新しいデザイン形状を提案することができる。また扉２９自体を左右兼用にできることを重要視するなら、図７(ｃ)に示すように扉２９の戸当たり側面２４も切り欠く形状であってもよい。
【００２５】
次に図９は本発明の多軸丁番の閉鎖状態からの扉２９の開閉軌跡を示している。ここで重要なのが厚みの薄い縦枠２８に対応させるために開閉機構部分aを略面付けに配置したことによる扉２９の軌跡における効果である。そこで縦枠２８にも大きく掘り込んで枠側ケース１を縦枠２８内に内蔵させて配置した従来の隠し丁番における扉２９の軌跡を示す図１１との両者の比較にて説明する。
【００２６】
図９も図１１も開閉機構部分aの動作自体はほぼ同じであり、まず図９(ａ)は扉２９の閉鎖状態を示しており、枠側ケース１の枠側案内部材５の円弧状長孔９の円弧部分７端部に回動カム４の片側の係合ピン１３が配置され、他方の係合ピン１３は扉側ケース２の扉側案内部材１０の円弧状長孔９の屈曲部分８の端部に配置されている。従って図９(ａ)の状態では第二軸心１６を中心に扉２９は回転不可な状態になっている。ところが第一軸心１５に対して羽根３は係合ピン１３が枠側案内部材５の円弧部分７を移動する動作にて回転可能な状態になっており、その結果最初は第一軸心１５を中心に回転する動作になり、図９(ｂ)を経て図９(ｃ)に示す所定角度位置付近までは第一軸心１５を中心に開放することになる。そして図９(ｃ)の段階では、枠側ケース１側の係合ピン１３は円弧部分７と屈曲部分８との交差位置側に移動してきている。また扉側ケース２側の係合ピン１３も僅かに屈曲部分８の端部から交差位置側に移動している。
【００２７】
また図９(ｃ)の状態からさらに扉２９を開放する段階で、扉側ケース２側の屈曲部分８が係合ピン１３を押しながら回動カム４を回転させる動作になる。すると図９(ｄ)に示すように所定角度位置付近からさらに開放する動作に連動して、扉側ケース２側の係合ピン１３が屈曲部分８の傾斜に押されて回動カム４の回転動作と共に円弧部分７との交差位置に移動し、同時に枠側ケース１側の係合ピン１３は屈曲部分８に挿入する動作が得られる。つまり所定角度位置付近からの更なる扉２９の開放動作に連動した回動カム４の回転により上記のような切り替え機構が可能になる。
【００２８】
そしてさらに扉２９を開放すると図９(ｅ)に示すように、扉側ケース２側の係合ピン１３は扉側案内部材１０の円弧部分７内を移動する動作になり、回動カム４の回転動作が再度規制され、枠側ケース１側の係合ピン１３により羽根３が第一軸心１５を中心とした戻る方向への回転動作を阻止することができ、逆折れ現象を確実に回避することが可能になる。そして図９(ｆ)に示す１８０度開放位置まで扉２９を開けることができる。また図９(ｆ)に示す大きく開放した段階から閉鎖する動作においては、所定角度位置付近直前で扉側ケース２側の係合ピン１３が円弧部分７から屈曲部分８に押し込まれる開放時とは逆の動作になり、回動カム４が戻る方向に回転して枠側ケース１側の係合ピン１３が屈曲部分８から円弧部分７に移動し、羽根３の第一軸心１５を中心とした回転動作が可能となり、そのまま完全に扉２９を閉鎖することができる。
【００２９】
以上が開閉機構部分aの基本動作であるが、ここで図１１に示す従来の隠し丁番では第一軸心１５が縦枠２８の掘り込みの深い位置に配置されているため、開放動作初期の図１１(ｂ)に至る角度範囲にて戸尻正面コーナー２６が縦枠正面コーナー２７に極端に接近する軌跡になる。したがって縦枠正面２５と扉正面２３との段差においては図１１に示すようにごく小さい段差での納まりにしか使用できず、この点が前述の構成の隠し丁番の最大の欠点とされてきた。ところが本発明の配置での軌跡においては、図９に示すように第一軸心１５が縦枠内面２２よりも戸先側に位置するため、戸尻正面コーナー２６は図９(ｂ)の角度付近では縦枠正面２５には全く接近せず、図９(ｃ)に示す９０度開放位置に近づいた段階で第二軸心１６を中心とした開放動作に切り替わってから後の、最終段階での図９(ｆ)での位置にて初めて縦枠正面２５に接近する動作になる。
【００３０】
つまり図９(ｃ)以降においては、第一軸心１５と第二軸心１６との間の距離分だけ大きく扉２９を持ち出した後で第二軸心１６を中心に扉２９が開放することになるため、縦枠正面コーナー２７を大きく迂回して移動する軌跡が得られる。その結果図９に表記しているような扉正面２３と縦枠正面２５との段差が非常に大きい納まりであっても両者が干渉することなく十分に余裕を持って開閉させることができる。さらには第一軸心１５と第二軸心１６との距離を任意に設定することにより、様々な扉正面２３と縦枠正面２５との段差に対応することも可能になる。
【００３１】
また、本発明の多軸丁番においても従来のものと同様に左右前後上下への建付け調整機構が必要であると想定される。ここで本発明の多軸丁番や図１１に示す構成の隠し丁番やその他の縦枠２８と扉２９に枠側ケース１と扉側ケース２が内蔵されている構成のものにおいても、左右と前後の調整は扉２９を約９０度開放した状態で偏心カムを用いる機構や調整ねじにより押し引きする機構を比較的簡単に両ケースに組み込むことが可能である。しかし上下調整においては従来の隠し丁番は約９０度開放した状態で両ケースがほぼ内蔵されているため、掘り込みの内部に複数の傾斜面を有する部材を組み込んで、調整ねじ等の水平方向からの操作で横方向への移動を上下方向に変換するような構成が必要になる場合が多く、コスト面でも割高になることが改良点として残っていた。
【００３２】
しかし本発明の多軸丁番では図９(ｃ)に示す開放位置付近において枠側ケース１が扉２９から露出することになる。そこでその状態を利用して、図１０に示すように枠側ケース１に略垂直方向に上下調整ねじ１８を螺合しておき、上下調整ねじ１８の径より幅広でその頭部の径よりは狭い溝２０を有した枠側取り付けプレート１９を設けてあらかじめ縦枠２８に装着しておくとよい。そして上下調整ねじ１８を備えた枠側ケース１を含む開閉機構部分a全体をあらかじめ扉２９に装着しておく。
【００３３】
するとドアの施工時に扉２９を持ち上げて、枠側取り付けプレート１９の溝２０に上下調整ねじ１８の頭部を引っ掛ける動作による吊り込み作業が可能となる。また、その後に上下調整ねじ１８を回す操作による上下調整を簡単に実施することができる。この構成は上下調整ねじ１８による直接的な上下移動動作を可能とし、その結果枠側取り付けプレート１９と上下調整ねじ１８のみの極少ない簡単な部品構成であるためコスト面においても非常に有効と考えられる。
【符号の説明】
【００３４】
ａ      開閉機構部分
１      枠側ケース
２      扉側ケース
３      羽根
４      回動カム
５      枠側案内部材
６      第一軸心挿入孔
７      円弧部分
８      屈曲部分
９      円弧状長孔
１０    扉側案内部材
１１    第二軸心挿入孔
１２    回動カム軸挿入孔
１３    係合ピン
１４    回動カム軸
１５    第一軸心
１６    第二軸心
１７    化粧カバー
１８    上下調整ねじ
１９    枠側取り付けプレート
２０    溝
２１    戸尻面
２２    縦枠内面
２３    扉正面
２４    戸当たり側面
２５    縦枠正面
２６    戸尻正面コーナー
２７    縦枠正面コーナー
２８    縦枠
２９    扉
【図１】
2013181306.tif 000003
【図２】
2013181306.tif 000004
【図３】
2013181306.tif 000005
【図４】
2013181306.tif 000006
【図５】
2013181306.tif 000007
【図６】
2013181306.tif 000008
【図７】
2013181306.tif 000009
【図８】
2013181306.tif 000010
【図９】
2013181306.tif 000011
【図１０】
2013181306.tif 000012
【図１１】
2013181306.tif 000013